(57)【要約】【課題】  ＤＣ−ＤＣスイッチング電源回路１１に起因し、表示映像に混入する映像ノイズを目立たなくし、映像品質を向上する。【解決手段】  ＤＣ−ＤＣスイッチング電源回路１１を制御する電源制御手段１２の電源制御部１２ａが出力するスイッチング信号Ｓcの周波数Ｆsを、映像信号Ｓｖの水平同期信号周波数の（ｎ＋０．５）倍（ｎは任意の整数）付近の周波数に設定し、この周波数のスイッチング信号ＳcでＤＣ−ＤＣスイッチング電源回路１１をスイッチング制御することにより、表示パネル４の表示映像中の映像ノイズを目立たなくする。【選択図】        図１
2005274742.tif 000002
【特許請求の範囲】
【請求項１】
入力直流電圧をスイッチングして交流信号に変換し、この交流信号を所定電圧の直流出力に変換し、映像回路へ電源供給する直流電源回路と、
映像信号の水平同期信号周波数を（ｎ＋０．５）倍（ｎは任意の整数）付近に設定した周波数を有した信号であって、前記直流電源回路から帰還される前記直流出力の状態を示す帰還電圧信号の電圧値に対応するデューティサイクルのスイッチング信号で前記直流電源回路をスイッチング制御する電源制御手段とを備えた映像表示機器用電源装置。
【請求項２】
入力直流電圧をスイッチングして交流信号に変換し、この交流信号を所定電圧の直流出力に変換し、映像回路へ電源供給する直流電源回路と、
前記直流電源回路をスイッチング制御するスイッチング信号の周波数およびデューティサイクルを、予め記憶した所定周波数の周波数初期値および所定比率のデューティサイクル初期値で初期設定する一方、入力映像信号の水平同期信号の周波数を測定し、測定した水平同期信号周波数を（ｎ＋０．５）倍（ｎは任意の整数）付近に設定した周波数を計算し、計算した周波数が前記周波数初期値と異なるときは、この周波数初期値および前記初期設定を前記計算した周波数に更新するとともに、前記直流電源回路から帰還される前記直流出力の状態を示す帰還電圧信号の電圧値を測定し、測定した帰還電圧信号の電圧値が予め記憶した帰還電圧信号初期値と異なるときは、この測定される帰還電圧信号の電圧値が前記帰還電圧信号初期値になるように前記デューティサイクル初期値を更新することにより、常に前記計算による周波数を有し、且つ、前記帰還電圧信号初期値に対応するデューティサイクルのスイッチング信号で前記直流電源回路をスイッチング制御する電源制御手段とを備えた映像表示機器用電源装置。
【発明の詳細な説明】
【技術分野】
【０００１】
この発明はスイッチング電源に起因する映像ノイズを低減した車載用等の映像表示機器用電源装置に関するものである。
【背景技術】
【０００２】
映像信号を処理し、液晶（ＬＣＤ）等の表示パネルに映像表示する映像表示機器に用いる電源装置としては、入力直流電圧を他の電圧の直流電圧に変換する直流（ＤＣ）−直流（ＤＣ）スイッチング電源等の直流電源回路が多く使用されている。このスイッチング電源等の直流電源回路は、映像に混入して表示品質を低下させる映像ノイズを発生する場合が多く、この映像ノイズの低減が大きな課題となっている。この映像ノイズ発生の主要な原因は直流電源回路出力側に残存するリップル成分であり、従来より、このリップル成分を低減する種々の手段が用いられてきた。
しかし、このリップル成分が僅かでも残存していると、どうしても映像ノイズとして見えてしまうことがあった。さらに、ＤＣ−ＤＣスイッチング電源においては、スイッチング信号を発生する発振回路等の温度特性によりこのスイッチング信号の周波数が変化すると、映像ノイズが現れる場合と現れない場合とを繰り返し、映像品質を低下させる。
このような映像ノイズの低減を図った従来の映像表示機器用電源装置として例えば以下のものがある。
【０００３】
従来例その１として、入力直流電圧を多倍圧した直流電圧を出力するチャ−ジポンプ回路に関し、表示装置用信号（水平同期信号）の周波数を整数倍した周波数に設定することによりこの表示装置用信号（水平同期信号）と同期を取ったチャ−ジポンプ回路制御信号（ＲＶＱ）をもとにして、直流成分をカットして再バイアスするセラミックコンデンサを用いたチャ−ジポンプ回路により、入力直流電圧を約２倍圧した直流電圧を作成するとともに、セラミックコンデンサの鳴きを抑制する一方、前記表示装置用信号とチャ−ジポンプ回路制御信号との同期により、映像ノイズの発生を防止するようにしたものがある（例えば、特許文献１参照）。
【０００４】
従来例その２として、液晶表示モニタにおいて、入力される映像信号における水平同期信号の周波数の整数倍の値をもとにして、液晶の１画素（１ドット）描画中のタイミングに同期するようにスイッチング電源回路のスイッチング周波数を設定することにより、映像ノイズを低減するようにしたものがある（例えば、特許文献２参照）。
【０００５】
【特許文献１】特開２００１−２７２９５４号公報
【特許文献２】特開２００３−５７１５号公報
【発明の開示】
【発明が解決しようとする課題】
【０００６】
従来の映像表示機器用電源装置は以上のように構成されているが、従来例その１については、セラミックコンデンサの鳴きを抑制するという別の目的に重点を置いた技術であり、映像ノイズに関しては、その映像ノイズが止まって見えるようにしたものであり、映像ノイズが目立たなくなる訳ではないという問題があった。
また、従来例その２については、「液晶の１画素（１ドット）描画中のタイミングに同期するようにスイッチング電源回路のスイッチング周波数を設定する」とあるが、このためには非常に精密な制御が必要であり、実用的ではないという問題があった。
【０００７】
この発明は上記のような課題を解決するためになされたもので、表示映像中の映像ノイズを実用的な手段により最も目立たなくなるようにし、映像品質の向上を図った映像表示機器用電源装置を得ることを目的とする。
【課題を解決するための手段】
【０００８】
この発明に係る映像表示機器用電源装置は、スイッチング方式の直流電源回路と、映像信号の水平同期信号周波数を（ｎ＋０．５）倍（ｎは任意の整数）付近に設定した周波数を有し、前記直流電源回路からの帰還電圧信号の電圧値に対応するデューティサイクルのスイッチング信号で前記直流電源回路をスイッチング制御する電源制御手段とを備えたものである。
【発明の効果】
【０００９】
この発明によれば、スイッチング方式の直流電源回路をスイッチング制御するスイッチング信号の周波数を、水平同期信号周波数の（ｎ＋０．５）倍（ｎは任意の整数）付近の周波数に設定するように構成したので、表示映像中の映像ノイズが実用的な手段により最も目立たなくなり、映像品質を向上することができる。
【発明を実施するための最良の形態】
【００１０】
以下、この発明の実施の一形態を説明する。
実施の形態１．
図１はこの発明の実施の形態１による映像表示機器用電源装置を用いた映像表示モニタの構成を示すブロック図である。
図１において、この映像表示モニタは、この実施の形態１による映像表示機器用電源装置１（以下、「電源装置１」とする）、映像入力Ｉ／Ｆ（インタフェース）回路２、映像処理回路３および表示パネル４とで構成される。
【００１１】
上記構成において、電源装置１は直流電源回路（以下、「ＤＣ−ＤＣスイッチング電源回路」とする）１１と電源制御手段１２とで構成され、このうちのＤＣ−ＤＣスイッチング電源回路１１は電源より入力する直流電圧Ｖｉをスイッチングして交流信号に変換し、この交流信号を所定電圧の直流出力Ｖｏに変換し、映像入力Ｉ／Ｆ回路２、映像処理回路３および表示パネル４等へそれぞれ電源供給する。
また、電源制御手段１２は、電源制御部１２ａ、外付け発振回路１２ｂ、マイクロコンピュータ（以下「マイコン」とする）１２ｃ、水晶発振子１２ｄとを備えている。
【００１２】
このうちの電源制御部１２ａは例えば電源制御用ＩＣ（集積回路）からなり、ＤＣ−ＤＣスイッチング電源回路１１より帰還（フィードバック）され、直流出力Ｖｏの状態を示す帰還電圧信号Ｓｆに対応するデューティサイクルのスイッチング信号ＳｃでＤＣ−ＤＣスイッチング電源回路１１をスイッチング制御する。
また、外付け発振回路１２ｂは抵抗（Ｒ）およびコンデンサ（Ｃ）等で構成され、ＩＣからなる電源制御部１２ａに外付けされて後述する所定周波数のスイッチング信号Ｓｃを発振する。
マイコン１２ｃは水晶発振子１２ｄで発振されるクロック等の制御基準信号を基に作動し、電源制御部１２ａによる前記スイッチング制御を制御する一方、映像処理回路３における映像処理についても制御する。
【００１３】
映像入力Ｉ／Ｆ回路２は入力される映像信号Ｓｖおよび同期信号（水平、垂直）Ｓｓについてレベル調整および波形成形等の処理を行う。
【００１４】
映像処理回路３は映像入力Ｉ／Ｆ回路２で処理された映像信号および同期信号についてアナログ処理またはディジタル処理し、映像表示に適合する信号にする。この処理はマイコン１２ｃによる制御のもとに行われる。
【００１５】
表示パネル４は例えば液晶（ＬＣＤ）からなり、映像処理回路３からの映像信号を表示する。
【００１６】
なお、図１では映像入力Ｉ／Ｆ回路２に入力される映像信号Ｓｖおよび同期信号Ｓｓは１系統としたが、これに限るものではなく、複数系統の映像信号Ｓｖおよび同期信号Ｓｓが入力する構成であってもよい。例えば、図１の映像表示モニタを車載用として適用した場合、映像入力系統としてはカーナビゲーション装置、テレビ（ＴＶ）ユニットおよびＣＣＤカメラ等の外部映像機器があり、これら系統からの映像を表示するようにしてもよい。
この場合、映像入力Ｉ／Ｆ回路２には映像を選択するための映像切換回路を設ければよい。
また、図１では映像入力Ｉ／Ｆ回路２に入力される映像信号Ｓｖおよび同期信号Ｓｓが分離した信号としたが、これに限るものではなく、映像信号Ｓｖと同期信号Ｓｓとが復号した信号（コンポジット信号）であってもよい。
【００１７】
次に、電源装置１の基本動作および映像ノイズの発生について図２で説明する。
図２は電源装置１の動作および映像ノイズの発生について説明するための波形図であり、（ａ）は水平同期信号の１周期分の波形図、（ｂ）はスイッチング信号Ｓｃの波形図、（ｃ）は直流出力Ｖｏに含まれる電源リップルの波形図である。
ＤＣ−ＤＣスイッチング電源回路１１は（ｂ）に示すスイッチング信号Ｓｃで駆動される。このスイッチング信号Ｓｃは外付け発振回路１２ｂにより発振され、その周波数Ｆｓを通常、数１０ＫＨｚ〜１ＭＨｚに設定した矩形波形のパルス信号である。ＤＣ−ＤＣスイッチング電源回路１１はこのパルス信号の期間Ｔａでオン、Ｔｂでオフとなる。
従って、ＤＣ−ＤＣスイッチング電源回路１１がオンとなるデューティサイクルＤは以下となる。
Ｄ＝｛Ｔａ／（Ｔａ＋Ｔｂ）｝×１００（％）
【００１８】
電源制御部１２ａはマイコン１２ｃの制御を受けつつ、ＤＣ−ＤＣスイッチング電源回路１１より帰還（フィードバック）される直流出力Ｖｏの状態を示す帰還電圧信号Ｓｆに応じて上記デューティサイクルを可変にしたスイッチング信号ＳｃでＤＣ−ＤＣスイッチング電源回路１１をスイッチング制御する。これにより、ＤＣ−ＤＣスイッチング電源回路１１の直流出力Ｖｏ（電圧）が安定化される。
上記スイッチング信号Ｓｃに同期してＤＣ−ＤＣスイッチング電源回路１１の直流出力Ｖｏ（図示しないトランスの２次側出力）には（ｃ）に示す電源リップルが発生する。
この電源リップルの周波数Ｆｒが（ａ）に示す水平同期信号の周波数Ｆｈ（例えば、約１６ＫＨｚ）と同じか、または整数倍、またはこの周波数Ｆｈに近い周波数である場合に表示映像の映像ノイズとして目立ち易くなる。
【００１９】
次に、表示パネル４の表示画面上での上記映像ノイズの見え方について図３および図４で説明する。
図３および図４は表示パネル４の表示画面上での映像ノイズの見え方についての説明図であり、図３はスイッチング信号Ｓｃの周波数Ｆｓ、即ち、電源リップルの周波数Ｆｒが水平同期信号周波数Ｆｈの整数倍の関係にあるときの映像ノイズの見え方を示し、図４は上記電源リップルの周波数Ｆｒが水平同期信号周波数Ｆｈの整数倍からずれたのときの映像ノイズの見え方を示す。
スイッチング信号Ｓｃの周波数Ｆｓ、即ち、電源リップルの周波数Ｆｒ（＝Ｆｓ）が水平同期信号周波数Ｆｈの整数倍の関係にあるときには、図３に示すように、縦縞状の映像ノイズが視覚上止まって（流れず）見える。
【００２０】
これに対し、スイッチング信号Ｓｃの周波数Ｆｓが外付け発振回路１２ｂ等の回路素子の温度特性等により変動し、これにより電源リップルの周波数Ｆｒが水平同期信号周波数Ｆｈの整数倍からずれたときには、図４に示すように、縞状の映像ノイズが表示画面上、斜めに流れるように見えてくる。例えば基準点（Ａ）を仮定すると、画面１フレーム目では「○」印のノイズが見え、２フレーム目では「●」印のノイズが見えるため、斜めの縞ノイズが流れているように見える。
また、スイッチング信号Ｓｃの周波数Ｆｓが更に僅かながらずれたとき、画面１フレーム目の「○」印のノイズに対して、２フレーム目の「●」印のノイズが同じ基準点（Ａ）から始まる場合があり、このときは斜めの縞ノイズが止まって見えてくる。また、これを繰り返す際、縞ノイズの状態が短時間に変化するように見える。
以上説明のように、表示映像に混入する映像ノイズの見え方はスイッチング信号Ｓｃの周波数Ｆｓと水平同期信号周波数Ｆｈとの関係が大きく影響する。
【００２１】
次に、スイッチング信号Ｓｃの周波数Ｆｓの設定について説明する。
図１の構成におけるスイッチング信号Ｓｃの周波数Ｆｓは、水平同期信号周波数Ｆｈの整数倍から最も離れた値に設定する。こうすることにより、人の目で見たときに映像ノイズが最も目立たなくなる。具体的には下記式（１）より求める。
スイッチング信号Ｓｃの周波数Ｆｓ＝水平同期信号周波数Ｆｈ×（ｎ＋０．５）
・・・（１）
ここで、ｎは任意の整数である。
例えば、水平同期信号周波数Ｆｈおよび任意の整数ｎがそれぞれ、Ｆｈ＝１６ＫＨｚ、ｎ＝１０とすると、スイッチング信号Ｓｃの周波数Ｆｓは上記式（１）より、Ｆｓ＝１６８ＫＨｚとなる。
従って、図１の外付け発振回路１２ｂは上記のＦｓ＝１６８ＫＨｚを発振するように抵抗（Ｒ）およびコンデンサ（Ｃ）等の定数を設定する。
【００２２】
電源制御手段１２の電源制御部１２ａは上記式（１）に従い設定された周波数Ｆｓのスイッチング信号ＳｃによりＤＣ−ＤＣスイッチング電源回路１１をスイッチング制御する。このスイッチング制御に従い、ＤＣ−ＤＣスイッチング電源回路１１は所定電圧の直流出力Ｖｏを出力し、映像入力Ｉ／Ｆ回路２、映像処理回路３および表示パネル４へそれぞれ電源供給する。
上記電源供給を受けた映像入力Ｉ／Ｆ回路２および映像処理回路３はそれぞれ入力映像信号Ｓｖについて前述の処理を行い、表示パネル４は処理された映像信号を表示する。
この表示映像ではＤＣ−ＤＣスイッチング電源回路１１に起因する映像ノイズが最も目立たなくなっている。
【００２３】
以上のように、この実施の形態１によれば、ＤＣ−ＤＣスイッチング電源回路１１を制御する電源制御手段１２の電源制御部１２ａが出力するスイッチング信号Ｓｃの周波数Ｆｓは式（１）に示したように、映像信号Ｓｖの水平同期信号周波数Ｆｈの（ｎ＋０．５）倍（ｎは任意の整数）付近の周波数に設定するように構成したので、このＤＣ−ＤＣスイッチング電源回路１１に起因し、表示映像に混入する映像ノイズを実用的手段により最も目立たなくすることができ、これにより、映像品質を向上することができる。
【００２４】
実施の形態２．
図５はこの発明の実施の形態２による映像表示機器用電源装置を用いた映像表示モニタの構成を示すブロック図であり、図１と同一のものについては同一符号を付してある。
なお、図１と同一符号のものについての説明は省略する。
図５の構成が実施の形態１（図１）の構成に対し異なる点は、映像表示機器用電源装置５（以下、「電源装置５」とする）の電源制御手段５２をマイコン５２ａ等で構成した点である。
【００２５】
実施の形態１では、スイッチング信号Ｓｃの周波数Ｆｓは、式（１）で示したように、水平同期信号周波数Ｆｈの整数倍から最も離れた値に設定した。
しかし、上記のように設定した場合であっても、図１の電源制御部１２ａや外付け発振回路１２ｂ等を形成するデバイスの温度特性等によりスイッチング信号Ｓｃの周波数Ｆｓが設定値から変化し、その結果、表示映像中の映像ノイズが目立つようになり、映像品質を劣化させる場合が考えられる。
そこで、この実施の形態２の電源装置５は図５に示すように、電源制御手段５２をマイコン５２ａおよびクロック等の制御基準信号発振用の水晶発振子５２ｂで構成し、このマイコン５２ａにより水平同期信号の周波数Ｆｈを測定し、この測定した水平同期信号周波数Ｆｈをもとに実施の形態１で示した式（１）より求まる周波数Ｆｓのスイッチング信号Ｓｃ’を発生する。このようにして発生したスイッチング信号Ｓｃ’により、ＤＣ−ＤＣスイッチング電源回路１１を制御する。
【００２６】
次に、上記マイコン５２ａの構成について図６で説明する。
図６はマイコン５２ａの電源制御手段５２に関する部分の内部構成を示す内部構成図である。
図６において、マイコン５２ａは第１のメモリ部５２１、計算部５２２、第１の比較制御部５２３、第２のメモリ部５２４、第２の比較制御部５２５および出力部５２６を備えている。
【００２７】
この構成において、第１のメモリ部５２１はスイッチング信号Ｓｃ’の周波数Ｆｓの初期値Ｆｓｏ（周波数初期値：例えば「１６０ＫＨｚ」）および整数ｎ（例えば「１０」）を予め記憶しており、マイコン５２ａはこの初期値Ｆｓｏの周波数からなるスイッチング信号Ｓｃ’を初期設定として発生する。
【００２８】
計算部５２２は同期信号Ｓｓの中から入力される水平同期信号Ｓｓｈの周波数Ｆｈを測定し、この測定した周波数Ｆｈと第１のメモリ部５２１より読み出した整数ｎ（＝１０）とをもとに実施の形態１で示した式（１）に従いスイッチング信号Ｓｃ’の周波数Ｆｓを計算する。なお、以降においてはこの式（１）で計算した周波数を「Ｆｓｓ」と記す。
【００２９】
第１の比較制御部５２３は第１のメモリ部５２１より読み出されたスイッチング信号Ｓｃ’の周波数Ｆｓの初期値Ｆｓｏ（＝１６０ＫＨｚ）と計算部５２２で計算されたスイッチング信号Ｓｃ’の周波数Ｆｓｓとを比較し、この比較結果をもとにＤＣ−ＤＣスイッチング電源回路１１へ出力するスイッチング信号Ｓｃ’の周波数Ｆｓを設定する。この設定については後述する。
【００３０】
第２のメモリ部５２４はＤＣ−ＤＣスイッチング電源回路１１からの帰還電圧信号Ｓｆの初期値Ｖｆｏ（帰還電圧信号初期値：例えば「５ｖ」）およびスイッチング信号ＳｃのデューティサイクルＤの初期値Ｄｏ（デューティサイクル初期値：例えば「５０％」）を予め記憶している。
【００３１】
第２の比較制御部５２５はＤＣ−ＤＣスイッチング電源回路１１からの帰還電圧信号Ｓｆの電圧値Ｖｆを測定し、この測定した電圧値Ｖｆと第２のメモリ部５２４より読み出された初期値Ｖｆｏ（＝５ｖ）とを比較し、この比較結果をもとにＤＣ−ＤＣスイッチング電源回路１１へ出力するスイッチング信号Ｓｃ’のデューティサイクルＤを設定する。この設定については後述する。
【００３２】
出力部５２６は第１の比較制御部５２３および第２の比較制御部５２５の比較結果に応じたスイッチング信号Ｓｃ’をＤＣ−ＤＣスイッチング電源回路１１へ出力する。
【００３３】
次に、上記マイコン５２ａの動作について図７で説明する。
図７はマイコン５２ａの動作フローチャートである。
図７において、ステップＳＴ１では、マイコン５２ａの計算部５２２は入力される水平同期信号Ｓｓｈの周波数Ｆｈを測定する。
このステップＳＴ１の段階では、マイコン５２ａはＤＣ−ＤＣスイッチング電源回路１１へ出力するスイッチング信号Ｓｃ’の周波数ＦｓおよびデューティサイクルＤを、第１のメモリ部５２１に記憶されている初期値Ｆｓｏおよび第２のメモリ部５２４に記憶されている初期値Ｄｏで初期設定している。
【００３４】
ステップＳＴ２では、計算部５２２はステップＳＴ１で測定した周波数Ｆｈと第１のメモリ部５２１からの整数ｎとをもとに前記式（１）に従いスイッチング信号Ｓｃ’の周波数Ｆｓｓを計算する。
【００３５】
ステップＳＴ３では、第１の比較制御部５２３は第１のメモリ部５２１よりスイッチング信号Ｓｃ’の周波数Ｆｓの初期値Ｆｓｏを取得する。
【００３６】
ステップＳＴ４では、第１の比較制御部５２３はステップＳＴ２で計算された周波数ＦｓｓとステップＳＴ３で取得した初期値Ｆｓｏとを比較し、「Ｆｓｓ＝Ｆｓｏ」であるかについて判断する。この判断が「Ｆｓｓ＝Ｆｓｏ」でない場合（ステップＳＴ４−ＮＯ）は、ステップＳＴ５へ進み、「Ｆｓｓ＝Ｆｓｏ」である場合（ステップＳＴ４−ＹＥＳ）は、ステップＳＴ６へ進む。
【００３７】
ステップＳＴ５では、マイコン５２ａ（第１の比較制御部５２３）は第１のメモリ部５２１の初期値ＦｓｏをステップＳＴ２で計算された周波数Ｆｓｓへ更新し、出力部５２６を介しＤＣ−ＤＣスイッチング電源回路１１へ出力しているスイッチング信号Ｓｃ’の前記初期設定に基づく周波数Ｆｓｏをこの計算による周波数Ｆｓｓへ更新する（Ｆｓｏ＝Ｆｓｓ）。
上記に対し、ステップＳＴ４の判断が「Ｆｓｓ＝Ｆｓｏ」である場合は、第１のメモリ部５２１の初期値Ｆｓｏを更新する必要はなく、マイコン５２ａ（第１の比較制御部５２３）は出力部５２６を介しＤＣ−ＤＣスイッチング電源回路１１へ出力しているスイッチング信号Ｓｃ’周波数を前記初期設定に基づく周波数Ｆｓｏに維持する。
【００３８】
ステップＳＴ６では、第２の比較制御部５２５はＤＣ−ＤＣスイッチング電源回路１１より帰還（フィードバッグ）される電圧帰還信号Ｓｆの電圧値Ｖｆを測定する。
【００３９】
ステップＳＴ７では、第２の比較制御部５２５は第２のメモリ部５２４より電圧帰還信号Ｓｆの初期値Ｖｆｏを取得する。
【００４０】
ステップＳＴ８では、第２の比較制御部５２５はステップＳＴ６で測定した電圧帰還信号Ｓｆの電圧値ＶｆとステップＳＴ７で取得した初期値Ｖｆｏとを比較し、「Ｖｆ＝Ｖｆｏ」であるかについて判断する。この判断が「Ｖｆ＝Ｖｆｏ」でない場合（ステップＳＴ８−ＮＯ）は、ステップＳＴ９へ進み、「Ｖｆ＝Ｖｆｏ」である場合（ステップＳＴ８−ＹＥＳ）は、ステップＳＴ１へ戻る。
【００４１】
ステップＳＴ９では、マイコン５２ａ（第２の比較制御部５２５）はステップＳＴ６で測定される電圧帰還信号Ｓｆの電圧値Ｖｆが初期値Ｖｆｏ（Ｖｆ＝Ｖｆｏ）になるように、出力部５２６を介しＤＣ−ＤＣスイッチング電源回路１１へ出力しているスイッチング信号Ｓｃ’のデューティサイクル初期値Ｄｏを更新（変更）する。このデューティサイクル更新により、スイッチング信号Ｓｃ’の周波数Ｆｓを更新したことによる直流出力Ｖｏの変動が修正される。
上記に対し、ステップＳＴ８の判断が「Ｖｆ＝Ｖｆｏ」である場合は、マイコン５２ａ（第２の比較制御部５２５）は出力部５２６を介しＤＣ−ＤＣスイッチング電源回路１１へ出力しているスイッチング信号Ｓｃ’のデューティサイクルを前記初期設定に基づくデューティサイクル初期値Ｄｏに維持する。
【００４２】
以上のように、この実施の形態２によれば、ＤＣ−ＤＣスイッチング電源回路５１を制御する電源制御手段５２を構成するマイコン５２ａは、水平同期信号Ｓｓｈの周波数Ｆｈを測定し、測定した水平同期信号周波数Ｆｈをもとに前記式（１）よりスイッチング信号Ｓｃ’の周波数Ｆｓｓを計算し、スイッチング信号Ｓｃ’の周波数Ｆｓを常にこの計算した周波数Ｆｓｓに保持するように構成したので、マイコン５２ａ等により生成されるスイッチング信号Ｓｃ’の周波数Ｆｓのバラツキや周囲の温度環境の変化による周波数Ｆｓの変化等に左右されることなく、スイッチング信号Ｓｃ’の周波数Ｆｓと水平同期信号との関係が常に前記式（１）を満たし、表示映像に混入する映像ノイズを常に目立たなくすることができ、これにより、映像品質を向上することができる。特に、温度変化の大きい車載用の映像表示モニタにおける映像品質向上に有効である。
【００４３】
また、水平同期信号Ｓｓｈの周波数Ｆｈが変化した場合、または、水平同期信号周波数Ｆｈが異なる種類の映像信号Ｓｖが入力された場合にも前記式（１）の関係が常に維持され、表示映像に混入する映像ノイズを常に目立たなくすることができる。
【００４４】
また、スイッチング信号Ｓｃ’の生成に水晶発振子５２ｂを使用しているので、周囲の温度変化による周波数の誤差が非常に少なく、安定した周波数Ｆｓの信号にすることができる。
【００４５】
また、実施の形態１（図１）の、主にＩＣで構成される電源制御部１２ａおよび外付け発振回路１２ｂの替りにマイコン５２ａを共用するので、部品点数を低減でき、コストを低下することができる。
【図面の簡単な説明】
【００４６】
【図１】この発明の実施の形態１による映像表示機器用電源装置を用いた映像表示モニタの構成を示すブロック図である。
【図２】この発明の実施の形態１による映像表示機器用電源装置の動作および映像ノイズの発生について説明するための波形図であり、（ａ）は水平同期信号の１周期分の波形図、（ｂ）はスイッチング信号Ｓｃの波形図、（ｃ）は直流出力Ｖｏに含まれる電源リップルの波形図である。
【図３】電源リップルの周波数Ｆｒが水平同期信号周波数Ｆｈの整数倍の関係にあるときの映像ノイズの見え方の説明図である。
【図４】電源リップルの周波数Ｆｒが水平同期信号周波数Ｆｈの整数倍からずれたのときの映像ノイズの見え方を示す。
【図５】この発明の実施の形態２による映像表示機器用電源装置を用いた映像表示モニタの構成を示すブロック図である。
【図６】マイクロコンピュータの電源制御手段に関する部分の内部構成を示す内部構成図である。
【図７】マイクロコンピュータの動作フローチャートである。
【符号の説明】
【００４７】
１  映像表示機器用電源装置、２  映像入力Ｉ／Ｆ回路、３  映像処理回路、４  表示パネル、５  映像表示機器用電源装置、１１  ＤＣ−ＤＣスイッチング電源回路、１２  電源制御手段、１２ａ  電源制御部、１２ｂ  外付け発振回路、１２ｃ  マイクロコンピュータ、１２ｄ  水晶発振子、５１  ＤＣ−ＤＣスイッチング電源回路、５２  電源制御手段、５２ａ  マイクロコンピュータ、５２ｂ  水晶発振子、５２１，５２４  メモリ部、５２２  計算部、５２３，５２５  比較制御部、５２６  出力部。
【図１】
2005274742.tif 000003
【図２】
2005274742.tif 000004
【図３】
2005274742.tif 000005
【図４】
2005274742.tif 000006
【図５】
2005274742.tif 000007
【図６】
2005274742.tif 000008
【図７】
2005274742.tif 000009